(57)【要約】  装置７は、超過圧力を生成することができる火薬１２、及びピストン１４であって、長手方向に移動し、それによりピストン１４の端部のうちの一方がミサイルの除去可能部分に作用することができるピストン１４を有する発火式アクチュエータ９と、少なくとも１つの保持ロッド１０Ａ、１０Ｂと、少なくとも火薬１２を断熱するように配置された少なくとも１つの断熱要素１１Ａ、１１Ｂ、１１Ｃとを有する一体型の組立体であり、発火式アクチュエータ９は、保持ロッド１０Ａ、１０Ｂを破壊することができる力を生成するように構成され、保持ロッド１０Ａ、１０Ｂの第１の端部、及び発火式アクチュエータ９の端部が、ミサイルに属する固定要素１８に固定され、保持ロッド１０Ａ、１０Ｂの第１の端部とは反対側の第２の端部が、ミサイルの除去可能部分に属する固定要素に固定される。
2020517882.tif 000002
【特許請求の範囲】
【請求項１】
ミサイル（１）の少なくとも１つの除去可能部分（３、４）を放出するための作動装置であって、前記装置（７）が一体型の組立体であり、前記一体型の組立体が、
−  超過圧力を生成することができる作動可能な火薬（１２）、及びピストン（１４）を有する発火式アクチュエータ（９）であって、前記ピストン（１４）が、前記火薬（１２）によって前記ピストン（１４）のヘッド（１５）上に生成された前記超過圧力の影響で長手方向に移動するように構成され、それにより前記ヘッド（１５）とは反対側の自由端部（１６）と呼ばれる前記ピストン（１４）の端部が、前記ミサイル（１）の前記除去可能部分（３、４）に作用するように意図されている、発火式アクチュエータ（９）と、
−  少なくとも１つの保持ロッド（１０Ａ、１０Ｂ）であって、機械的カバー（２１Ａ、２１Ｂ）によって前記発火式アクチュエータ（９）に固定される少なくとも１つの部分を有する少なくとも１つの保持ロッド（１０Ａ、１０Ｂ）と、
−  少なくとも前記火薬（１２）を断熱するように配置された少なくとも１つの断熱要素（１１Ａ、１１Ｂ、１１Ｃ、１１Ｄ）と
を有すること、及び
前記発火式アクチュエータ（９）が、前記少なくとも１つの保持ロッド（１０Ａ、１０Ｂ）を破壊することができる力を生成することができるように構成されていること、
前記少なくとも１つの保持ロッド（１０Ａ、１０Ｂ）の第１の端部、及び前記発火式アクチュエータ（９）の端部が、前記ミサイル（１）を固定するための要素（１８）に固定されるように意図されていること、及び
前記少なくとも１つの保持ロッド（１０Ａ、１０Ｂ）の前記第１の端部とは反対側の第２の端部が、前記ミサイル（１）の前記除去可能部分を固定するための要素（１７）に固定されるように意図されていること
を特徴とする、作動装置。
【請求項２】
互いに、また前記ピストン（１４）を動かすための軸と実質的に平行であり且つ同じ平面（ＸＹ）内で前記ピストン（１４）の両側に配置された２つの保持ロッド（１０Ａ、１０Ｂ）を有することを特徴とする、請求項１に記載の装置。
【請求項３】
前記少なくとも１つの保持ロッド（１０Ａ、１０Ｂ）が、少なくとも１つの脆弱ゾーン（２２Ａ、２２Ｂ）を有することを特徴とする、請求項１又は２に記載の装置。
【請求項４】
前記脆弱ゾーン（２２Ａ、２２Ｂ）が、前記ピストン（１４）の前記自由端部（１６）の近くに位置付けられることを特徴とする、請求項１から３までのいずれか一項に記載の装置。
【請求項５】
前記少なくとも１つの保持ロッド（１０Ａ、１０Ｂ）が、前記発火式アクチュエータ（９）に対する少なくとも１つの保持要素（２３Ａ、２３Ｂ）を有することを特徴とする、請求項１から４までのいずれか一項に記載の装置。
【請求項６】
前記少なくとも１つの保持要素（２３Ａ、２３Ｂ）が、前記機械的カバー（２１Ａ、２１Ｂ）のレベルに配置されることを特徴とする、請求項１又は５に記載の装置。
【請求項７】
前記少なくとも１つの保持ロッド（１０Ａ、１０Ｂ）は、その（１０Ａ、１０Ｂ）少なくとも１つの長手方向区分に、少なくとも１つの断熱スリーブ（１１Ｂ、１１Ｃ）を備えることを特徴とする、請求項１から６までのいずれか一項に記載の装置。
【請求項８】
前記断熱スリーブ（１１Ｂ、１１Ｃ）が、前記機械的カバー（２１Ａ、２１Ｂ）のレベルに配置されることを特徴とする、請求項１又は７に記載の装置。
【請求項９】
前記保持ロッド（１０Ａ、１０Ｂ）の前記第２の端部は、前記ミサイル（１）の前記除去可能部分（３、４）の固定要素（１７、１８）に前記保持ロッド（１０Ａ、１０Ｂ）をナット（２０Ａ、２０Ｂ）によって固定するのを可能にするように配置されたねじ山（１９Ａ、１９Ｂ）を備えることを特徴とする、請求項１から８までのいずれか一項に記載の装置。
【請求項１０】
前記断熱要素（１１Ａ、１１Ｂ、１１Ｃ、１１Ｄ）が、以下の材料、すなわち雲母、ムライト、白雲母のうちの少なくとも１つから作られること特徴とする、請求項１から９までのいずれか一項に記載の装置。
【請求項１１】
請求項１から１０までのいずれか一項で特定されるような作動装置（７）を有するミサイルであって、前記作動装置（７）が、その第１の端部によって、前記ミサイル（１）の第１の部分（４）を固定するための要素（１８）に固定され、また前記第１の端部とは反対側の第２の端部によって、前記ミサイル（１）の前記除去可能部分である第２の部分（３）を固定するための要素（１７）に固定されていることを特徴とする、ミサイル。
【請求項１２】
少なくとも２つの個々のシェル（３、４）を有する機首（２）を備え、前記第１の部分（４）が前記個々のシェルの一方（４）であり、前記第２の除去可能部分（３）が前記個々のシェルの他方（３）であることを特徴とする、請求項１１に記載のミサイル。
【請求項１３】
前記作動装置（７）が、前記２つの個々のシェル（３、４）を同時に分離して広げるように構成されていることを特徴とする、請求項１１又は１２に記載のミサイル。
【請求項１４】
少なくとも１つの断熱要素（１１Ｄ）が、前記ピストン（１４）の前記自由端部（１６）に面して配置され、且つ前記除去可能部分（３）を前記ミサイル（１）に固定するための要素（１７）に固定されていることを特徴とする、請求項１１から１３までのいずれか一項に記載のミサイル。
【発明の詳細な説明】
【技術分野】
【０００１】
本発明は、ミサイルの少なくとも１つの除去可能部分の放出（イジェクト）を可能にする作動装置、及び少なくとも１つのそのような作動装置が設けられたミサイルに関する。
【背景技術】
【０００２】
本発明は、これに限定されるものではないが、少なくとも１つの落下可能な推進段と、その推進段の前に配置される１つの最終ビークルとを有するミサイルに適用することができる。概して、こうした最終ビークルは、特にセンサを有し、そのセンサは、例えば自動誘導ヘッドの一部分を形成し、温度感知式であることが多い。
【０００３】
より詳細には、本発明は、大気圏内にとどまる飛行区域を呈し、最終ビークルが極超音速に到達することができるなどといった運動性能を有するミサイルに適用することができる。このような高速では、空気熱流の影響下で、ミサイルの表面温度がセ氏数百度に達することがあり、このことは、構造体、電子機器、及びこのセンサの保持及び性能にとって有害になることがある。また、一般的にいくつかの個々のシェルを有する（保護）機首（すなわちノーズ部分）が、ミサイルの飛行段階中に最終ビークルを熱的及び機械的に保護するためにミサイルの前方に配置される。次いで、適切なタイミングで機首が放出されて、特に、最終ビークルに配置されたセンサを飛行の最終段階中に使用できるようにする。
【０００４】
機首の放出は、センサを迅速に動作可能にし、機首の放出段階中にミサイルの性能を決して妨げないようにするため、個々のシェルをごく短時間で切り離すのに十分な力を生成するように構成された作動装置によって実施される。さらに、作動装置は、飛行の最終段階の前に個々のシェルが受ける熱的及び機械的なストレスを考慮しなくてはならない。
【０００５】
解決策は、発火式（ｐｙｒｏｔｅｃｈｎｉｃ）イジェクタ・ボルトなどの発火式アクチュエータを使用して、個々のシェルをごく短時間で切り離すのに必要な力を生成することから成る。しかし、個々のシェルが晒されるセ氏数百度の温度によって、これらに固定された発火式アクチュエータの機能が損なわれ、意図せずトリガされてしまう危険さえある。さらに、放出された製品、及び発火反応の爆風効果は、例えば残余粉末が堆積することによって、最終ビークルのセンサを損傷したり、その測定機能を妨げたりする恐れがある。したがって、この解決策は適用可能ではない。
【発明の概要】
【発明が解決しようとする課題】
【０００６】
本発明は、これらの欠点を克服することを目的とする。本発明は、ミサイルの少なくとも１つの除去可能部分の放出、特に機首の少なくとも１つの個々のシェルの放出を可能にする作動装置に関する。
【課題を解決するための手段】
【０００７】
本発明によれば、前記作動装置は、
−  超過圧力を生成することができる作動可能な火薬、及びピストンを有する発火式アクチュエータであって、ピストンは、火薬によってピストンのヘッド上に生成された超過圧力の影響下で長手方向に移動するように構成され、それにより自由端部と呼ばれる、ピストンのヘッドとは反対側のピストンの端部がミサイルの前記除去可能部分に作用するように意図されている、発火式アクチュエータと、
−  少なくとも１つの保持ロッドと、
−  少なくとも火薬を断熱するように配置された少なくとも１つの断熱要素と
を有する一体型の組立体である。
【０００８】
さらに、本発明によれば、前記発火式アクチュエータは、前記少なくとも１つの保持ロッドを破壊することができる力を生成することができるように構成される。
【０００９】
さらに、本発明によれば、前記少なくとも１つの保持ロッドの第１の端部、及び前記発火式アクチュエータの端部は、ミサイルの要素に固定されるように意図され、また前記少なくとも１つの保持ロッドの第１の端部とは反対側の第２の端部は、ミサイルの除去可能部分に固定されるように意図されている。
【００１０】
したがって、本発明により、機首の個々のシェルなど除去可能なミサイル部分を放出するように意図された作動装置が提供され、この装置は発火式アクチュエータを有し、少なくとも１つの断熱要素及び少なくとも１つの保持ロッドを配置することによって、この作動装置の機能は、ミサイルの熱的及び機械的なストレスに適合される。実際、個々のシェルが晒される高温に対して感応性のある発火式アクチュエータの要素である火薬は、少なくとも１つの断熱要素を配置することによって、機首内で熱流から断熱される。さらに、発火式アクチュエータの機能低下、さらにその意図しないトリガを防止することに加えて、この局所的な熱保護によって、内蔵作動装置の質量及び体積を最小に抑えることが可能になる。
【００１１】
さらに、本発明による作動装置によって、飛行段階中の機械的保持が保証される。発火式アクチュエータは、その一方の端部によって、除去可能部分、好ましくは一方の機首シェルにしか固定されず、作動装置は、この除去可能部分と固定要素との間、例えば機首の２つの個々のシェル間の機械的連結を確保する１つ又は複数の保持ロッドを備える。
【００１２】
有利には、これらの保持ロッドは、ピストンの両側で同じ平面内に、実質的に互いに平行に、またピストンの移動軸と平行に配置され、特に機首の放出前の飛行段階中に、機首の機械的ストレスを支持するように構成される。さらに、これらの保持ロッドは、機械的カバーによって発火式アクチュエータに固定される少なくとも１つの部分を有し、それにより、例えばミサイルの飛行段階中、及び機首の放出中に機械的ストレスに直面する装置のより良好な安定性が確保される。
【００１３】
好ましい実施例では、少なくとも１つの保持ロッドは、好ましくはピストンの自由端部の近位に位置付けられる脆弱ゾーンを有する。したがって火薬を作動させることにより発火式アクチュエータがトリガされると、発火式アクチュエータは、低減されているが個々のシェルを互いに切り離すには十分な力を生成する。個々のシェル間の連結を確保する保持ロッドは、ミサイルの性能を損なう可能性のある屑を生成することなく、脆弱ゾーンのレベルで２つの部分に破壊される。
【００１４】
さらに、少なくとも１つの保持ロッドには、機械的カバーのレベルに位置付けられた少なくとも１つの保持要素が設けられる。この保持要素は、有利には、発火式アクチュエータに対する少なくとも１つの保持ロッドのあらゆる並進移動を防止するように配置される。
【００１５】
さらに有利には、少なくとも１つの保持ロッドは、前記保持ロッドの少なくとも１つの区分（セクション）に少なくとも１つの断熱スリーブを備える。少なくとも１つの断熱スリーブは、好ましくは機械的カバーのレベルに位置付けられる。少なくとも１つのスリーブの有利な配置は、発火式アクチュエータの断熱に寄与する。
【００１６】
さらに有利には、断熱要素は、雲母、ムライト、又は白雲母のタイプの材料から作ることができる。
【００１７】
さらに、有利には、保持ロッドの第２の端部には、ナットによってミサイルの除去可能部分の固体要素に前記保持ロッドを固定することを可能にするように配置されたねじ山が設けられる。
【００１８】
また本発明は、上述したものなどの作動装置が設けられたミサイルであって、作動装置は、第１の端部によって、ミサイルの第１の部分、例えば機首の個々のシェル、又はミサイルの構造部の被固定要素を固定するための要素に固定され、また第１の端部とは反対側の第２の端部によって、ミサイルの除去可能部分を固定するための要素に固定される、ミサイルに関する。
【００１９】
本発明の範囲では、この除去可能部分は、その飛行中にミサイルから放出しなくてはならないあらゆる要素、好ましくは機首の個々のシェルに相当していてもよい。
【００２０】
好ましい実施例では、ミサイルは、少なくとも２つの個々のシェルを有する機首を備えており、前記第１の部分が、個々のシェルの一方であり、前記第２の除去可能部分が、個々のシェルの他方である。有利には、作動装置は、２つの個々のシェルをミサイルから放出するために、それらを同時に分離し、広げるように構成される。
【００２１】
さらに、少なくとも１つの断熱要素は、有利には、ミサイルの除去可能部分の少なくとも１つを固定するための要素に固定され、ピストンの自由端部に面して配置される。
【００２２】
添付図面により、本発明をどのように実現できるかが十分に理解できるようになる。図面では、同じ参照符号は同様の要素を指す。
【図面の簡単な説明】
【００２３】
【図１】飛行段階中の機首を有するミサイルの実例を示す概略図である。
【図２】放出段階中の機首を有するミサイルの実例を示す概略図である。
【図３】機首の個々のシェルのうちの１つにある作動装置の具体的な実施例の構成を示す図である。
【図４】作動装置の概略斜視図である。
【図５】作動装置の概略中央断面図である。
【発明を実施するための形態】
【００２４】
本発明は、図１及び図２に概略的に表されるミサイル１に適用され、これは、いくつかの除去可能部分、この場合は複数のシェル３、４を有する（保護）機首２の（前記ミサイル１の移動方向Ｆにおいて）前方に設けられる。本発明は、機首２を放出するための作動装置７に関する。しかし、本発明は、放出されることになる少なくとも１つの除去可能部分を有する任意のタイプのミサイル１に適用することができる。
【００２５】
図１及び図２に示すように、長手方向軸Ｌ−Ｌのミサイル１は、少なくとも１つの落下可能な推進段５、及びこの推進段５の前に配置された１つの最終ビークル６を有する。
【００２６】
概して、こうした飛行最終ビークル６は、特に上流に配置された、例えば自動誘導ヘッドの一部分を形成する温度感知式であることが多い少なくとも１つのセンサ８を有する。任意の通常のタイプのものとすることができる推進段５及び最終ビークル６については、以下の記述でこれ以上の説明はしない。
【００２７】
通常、こうしたミサイル１の１つ又は複数の推進段５は、発射から（ミサイル１によって無力化すべき）標的の接近までの前記ミサイル１の推進を目的としている。飛行の最終段階それ自体は、最終ビークル６によって自律的に実行され、特にその最終ビークル６は、標的の検出を補助することを目的とする内蔵センサ８、例えば光電子センサからくる情報を使用する。これを行うために、最終ビークル６は、この最終飛行を実現するのに必要なすべての通常の手段（これ以上説明しない）を有する。最終段階を実行する前に、作動装置７を作動させることによって異なるシェル３及び４が切り離された後、機首２が落下し、又は少なくとも完全に開いて、（飛行する）最終ビークル６を解放し、次いでその最終ビークル６がミサイル１の残りの部分から切り離される。
【００２８】
したがってミサイル１は、特に最終ビークル６を熱的及び機械的に保護することを目的とした切離し可能な機首２を上流に備える。しかしこの機首２は、特に、最終ビークル６に配置されたセンサ８を飛行の最終段階に使用できるようにするために、適切なタイミングで除去されなくてはならない。
【００２９】
図１の状況では、機首２は、機能（保護）位置でミサイル１に装着されている。最終ビークル６は、点線で表した機首２の内側に装着されている。
【００３０】
さらに、図２の状況では、シェル３及び４は、機首２を開放又は落下させる段階中に、それぞれ矢印α１及びα２によって示すように切り離されている。シェル３及び４の解放、並びに矢印α１及びα２によって示す動きを発生させるための衝撃は、図１及び図３に表すように機首２の上流（機首２の内側）に配置されることが好ましい作動装置７によって生成される。機首２の開放又は落下のこの段階によって、最終ビークル６を解放することが可能になる。
【００３１】
本発明は、これに限定されないが、より具体的には、大気圏内にとどまる飛行区域を呈し、最終ビークル６を極超音速にすることができる運動性能を有するミサイル１に適用することができる。このような高速では、空気熱流の影響下で、ミサイル１の表面温度がセ氏数百度に達することがあり、これにより、構造体、電子機器、及び内蔵センサの安定性及び性能を可能にするのに有効な機首２を提供することが必要になる。しかし、本発明は、飛行区域から（大気圏の内外）、亜音速〜超音速／極超音速のスピードについていずれの場合にも進化したミサイル１にも適用することができる。
【００３２】
図１及び図３を参照すると、ミサイル１からシェル３及び４を放出することを可能にする作動装置７は、機首２の上流において、シェル３と４の間で、ミサイル１の長手方向軸Ｌ−Ｌに対する横断面に配置される。
【００３３】
以下の説明では、発火式作動装置７に関連付けられた目印Ｒが使用され、この目印Ｒは、３つの直交軸、すなわち延在する作動装置７に従って配向される長手方向Ｘと呼ばれる軸、及び正中面ＸＹ及び横断面ＹＺを定義する２つの軸Ｙ及びＺである。軸Ｚは、ミサイル１の長手方向軸Ｌ−Ｌに対応する。さらに、前方及び後方という副詞は、ピストン１４の移動方向に対して定義され、この移動方向を矢印Ｇによって表し、以下で説明する。
【００３４】
図３、図４、及び図５に表すように、本発明による作動装置７は、
−  長手方向軸Ｘに従って配置された発火式アクチュエータ９と、
−  互いに、また長手方向軸Ｘに実質的に平行で、正中面ＸＹにおいて発火式アクチュエータ９の両側に配置された２つの保持ロッド１０Ａ及び１０Ｂと、
−  発火式アクチュエータ９を局所的に断熱するように配置された、少なくとも１つであるが好ましくは複数の断熱要素１１Ａ、１１Ｂ、１１Ｃ、及び１１Ｄと
を有する一体型の組立体である。
【００３５】
図４及び図５に表す好ましい実施例では、発火式アクチュエータ９は、作動可能な火薬１２、発火式アクチュエータ９の後方で火薬１２と同じ横断面ＹＺに配置された燃焼チャンバ１３、及び長手方向軸Ｘに沿って配置されたピストン１４を有し、そのピストン１４のヘッド１５は、燃焼チャンバ１３の延長上にある。発火式アクチュエータ９は、火薬１２の作動によってトリガされ、これは通常、ミサイル１の制御ユニット（図示せず）によって自動的に与えられる命令により実現される。火薬１２は、作動されると燃焼チャンバ１３において超過圧力を生成し、それにより矢印Ｇの方向にピストン１４の移動が生じる。ピストン１４は、その端部のうちの、ピストンのヘッド１５とは反対側の自由端部１６と呼ばれる端部に向かって移動し、シェル３に固定された固定要素１７を圧迫する。
【００３６】
発火式アクチュエータ９は、最終ビークル６のセンサ８を損傷したり、その測定機能を妨げたりする恐れがある粉末屑又は発火反応の残留物を収容するように構成された、例えば発火シリンダとすることができる。
【００３７】
図４及び図５によって表す実施例では、発火式アクチュエータ９は、発火式装置７の後方に位置付けられた第１の端部により、シェル４に固定された固定要素１８に固定される。前記第１の端部とは反対側の、発火式アクチュエータ９の第２の端部は固定されていない。
【００３８】
保持ロッド１０Ａ及び１０Ｂも、発火式装置７の後方に位置付けられた第１の端部、及び発火式装置７の前方に位置付けられた第２の端部を有する。以下で明示するように、各保持ロッド１０Ａ及び１０Ｂは、その第１の端部によりシェル３の固定要素１７に固定され、その第２の端部によりシェル４の固定要素１８に固定される。保持ロッド１０Ａ及び１０Ｂによって、特にミサイル１の飛行段階中に、機首２のシェル３と４の機械的連結が確保される。
【００３９】
特定の実施例では、各保持ロッド１０Ａ及び１０Ｂの２つの端部のうちの一方には、ねじ山１９Ａ、１９Ｂが設けられており、それにより、ナット２０Ａ、２０Ｂを用いて固定要素１７、１８に保持ロッド１０Ａ及び１０Ｂをねじ締めすることが可能になる。ねじ山に沿ったナット２０Ａ、２０Ｂの位置によって、シェル３、４のうちの一方の固定要素１７、１８のうちの一方における保持ロッド１０Ａ及び１０Ｂのねじ締め具合が決まり、それによりミサイル１の飛行段階中にシェル３及び４が互いに加える力が定まる。この力は、機械的プレストレスと呼ばれる。
【００４０】
さらに、保持ロッド１０Ａ及び１０Ｂは、機械的カバー２１Ａ、２１Ｂを用いて発火式アクチュエータ９に連結される。図４及び図５に表すように、機械的カバー２１Ａ及び２１Ｂは、装着位置のピストン１４の本体のレベルで発火式アクチュエータ９の両側に固定され、保持ロッド１０Ａ及び１０Ｂの一区分を囲んでいる。特定の実施例では、機械的カバー２１Ａ及び２１Ｂは、発火式アクチュエータ９の横方向範囲に対応してもよい。
【００４１】
さらに、各保持ロッド１０Ａ、１０Ｂには、好ましくは装着位置のピストン１４の自由端部１６と同じ横断面ＹＺに、固定要素１７と機械的カバー１９Ａ、１９Ｂの間に位置付けられた脆弱ゾーン２２Ａ、２２Ｂが設けられる。それぞれの脆弱ゾーン２２Ａ及び２２Ｂは、保持ロッド１０Ａ及び１０Ｂの長手方向部分の円形凹所に対応しており、それにより保持ロッドの機械的抵抗が低減する。したがって、発火式アクチュエータ９によって生成される力の影響下で、保持ロッド１０Ａ及び１０Ｂは、脆弱ゾーン２２Ａ及び２２Ｂのレベルで破壊される。
【００４２】
図５に表すように、保持要素２３Ａ、２３Ｂ、例えばピン又はカラーが、保持ロッド１０Ａ、１０Ｂの周りで、脆弱ゾーン２２Ａ、２２Ｂに最も近い機械的カバー２１Ａ、２１Ｂの端部に当接して配置される。この保持要素２３Ａ、２３Ｂは、長手方向Ｘにおいて機械的カバー２１Ａ、２２Ｂ内に保持ロッド１０Ａ、１０Ｂを保持する。
【００４３】
飛行段階中に機首２のシェル３及び４が受ける熱流を断熱するために、いくつかの断熱要素１１Ａ、１１Ｂ、１１Ｃ、１１Ｄが、発火式アクチュエータ９の部分に配置される。
【００４４】
したがって、断熱要素１１Ａは、シェル４を固定するための要素１８と火薬１２の間に位置付けられて、シェル４の熱が火薬１２に伝わり、発火式アクチュエータ９を意図せずトリガすることを回避する。他の２つの断熱要素は、機械的カバー２１Ａ及び２１Ｂを貫通している保持ロッド１０Ａ及び１０Ｂの区分の周りに、スリーブ１１Ｂ及び１１Ｃの形で配置されて、保持ロッド１０Ａ及び１０Ｂによってシェル３と４の間で循環する熱流が、発火式アクチュエータ９に伝わることを回避する。さらに、断熱要素１１Ｄは、ピストン１４の自由端部１６に面して配置され、ミサイル１のシェル３を固定するための要素１７に固定することができる。
【００４５】
特定の実施例では、断熱要素１１Ａ、１１Ｂ、１１Ｃ、１１Ｄは、単に火薬１２を断熱することによって発火式アクチュエータ９を保護する。
【００４６】
好ましい実施例では、断熱要素１１Ａ、１１Ｂ、１１Ｃ、及び１１Ｄは、次の材料：雲母、ムライト、白雲母、のうちの１つから作られる。これらの材料は、断熱性に優れている一方で、シェル３と４を切り離すために発火式アクチュエータ９により生成される力を緩衝しない十分な硬さを有する。
【００４７】
上述したものなどの作動装置の機能モードは、以下の通りである。
【００４８】
ミサイル１の飛行段階中、機首２は保持ロッド１０Ａ及び１０Ｂによって閉じた状態に保持され、保持ロッドはそれらの端部によりシェル３及び４の固定要素１７及び１８に固定されている。さらに、機首２の安定性は、シェル３と４の間に加えられる機械的プレストレスに応じて決まる。この機械的プレストレスは、保持ロッド１０Ａ及び１０Ｂの一方の端部のねじ山に沿ってナット２０Ａ、２０Ｂの位置を調整することにより、保持ロッド１０Ａ及び１０Ｂによって制御される。さらに、機首２は、飛行段階中に高い熱ストレスを受ける。これらの熱流はシェル３と４の間で、特に保持ロッド１０Ａ及び１０Ｂによって循環し、それによりシェル３と４の固定要素１７と１８の間で熱橋が生成される。発火式アクチュエータ９の意図しないあらゆるトリガを回避するために、断熱要素１１Ａ、１１Ｂ、１１Ｃ、１１Ｄは、おおよそ火薬１２とシェル４を固定するための要素１８との間、並びに保持ロッド１０Ａ及び１０Ｂと機械的カバー２１Ａ及び２１Ｂとの間に配置される。
【００４９】
機首２のシェル３、４を切り離さなくてはならないとき、信号により発火式アクチュエータ９の火薬１２が作動される。したがって、燃焼チャンバ１３において超過圧力が生成され、それによりピストン１４に対するスラスト力が生じ、ピストンが矢印Ｇの方向に移動する。ピストン１４の自由端部１６が、シェル４を固定するための要素１７を圧迫し、ピストン１４がスラスト力をシェル３に伝える。発火式装置７は、保持ロッド１０Ａ及び１０Ｂによって２つのシェル３及び４に固定されているので、シェル３は、シェル４に作用するスラスト力に等しいが反対方向のスラスト力を受ける。これらの反対方向の力は保持ロッド１０Ａ及び１０Ｂに作用して、最終的に脆弱ゾーン２２Ａ及び２２Ｂのレベルでそれらの破損が生じる。機械的カバー２１Ａ及び２１Ｂのレベルで保持ロッド１０Ａ及び１０Ｂに配置された保持要素２３Ａ及び２３Ｂが、発火式アクチュエータ９に対するロッドのあらゆる並進移動を遮断するので、回転要素２４、例えばヒンジの周りで枢動することによって、シェル３及び４は互いに同時に切り離され、広がる。したがって、これによりシェル３及び４がミサイル１から放出される。
【００５０】
上述したものなどの作動装置７は、一体型の組立体であり、その構造によって、一方では、特に飛行段階中に機首２の安定性を維持する機能を実行し、他方では、シェル３及び４を迅速に放出する機能を実行することが可能になる。作動装置７の構造は、シェル３及び４が晒される高温にもかかわらず、ごく短時間でかなりの力を生成することができる発火式アクチュエータ９の使用を適応可能にする。したがって、飛行段階中、断熱要素１１Ａ、１１Ｂ、１１Ｃ、１１Ｄの配置、並びに保持ロッド１０Ａ及び１０Ｂの構成は、シェル３及びシェル４が受ける熱的及び機械的なストレスから発火式アクチュエータ９を断熱することによって、発火式アクチュエータ９の機能を維持する。放出段階中、機首２は、センサ８の使用を可能にするために非常に迅速に放出されなくてはならない。発火式アクチュエータ９は、前もって脆弱にされた保持ロッド１０Ａ及び１０Ｂを破壊するのに十分な力を生成することによって、この迅速放出を可能にする。さらに、断熱要素１１Ａ、１１Ｂ、１１Ｃ、１１Ｄは、内蔵作動装置７の質量及び体積を最小に抑えることを可能にする局所的な保護部を形成する。
【００５１】
また発火式作動装置７は、高温の環境におけるミサイル１の任意の除去可能部分の保持、及びその放出に適応可能であるという利点を提供する。最後に、作動装置７は、飛行区域から（大気圏の内外）、亜音速〜超音速／極超音速になるスピードについて、いずれの場合にも機能する。
【図１】
2020517882.tif 000003
【図２】
2020517882.tif 000004
【図３】
2020517882.tif 000005
【図４】
2020517882.tif 000006
【図５】
2020517882.tif 000007
【国際調査報告】
2020517882.tif 000008
2020517882.tif 000009
2020517882.tif 000010
2020517882.tif 000011